(57)【特許請求の範囲】
【請求項１】
タッチパネルを構成し表示画面を囲繞する外周ケース上に凹部を形成し、上記表示画面を覆うシート体を、上記凹部に接着部材を介して貼着したプログラマブル表示器において、
上記凹部の下側縁部に上下方向の１又は複数の切り欠き部を設け、上記シート体を伝わって落下する液体を上記凹部の下側縁部に溜まることなく下方に落下させる
ことを特徴とするプログラマブル表示器。
【請求項２】
タッチパネルを構成し表示画面を囲繞する外周ケース上に凹部を形成し、上記表示画面を覆うシート体を、上記凹部に接着部材を介して貼着したプログラマブル表示器において、
上記凹部の下側縁部の内周線を山形状に形成するとともに、その両端部に窪み部を形成し、上記シート体を伝わって落下する液体を上記凹部の下側縁部に溜まることなく下方に落下させる
ことを特徴とするプログラマブル表示器。
【請求項３】
タッチパネルを構成し表示画面を囲繞する外周ケース上に凹部を形成し、上記表示画面を覆うシート体を、上記凹部に接着部材を介して貼着したプログラマブル表示器において、
上記凹部の下側縁部の内周線を谷形状に形成し、上記シート体を伝わって落下する液体を上記凹部の下側縁部に溜まることなく下方に落下させる
ことを特徴とするプログラマブル表示器。
【請求項４】
タッチパネルを構成し表示画面を囲繞する外周ケース上に凹部を形成し、上記表示画面を覆うシート体を、上記凹部に接着部材を介して貼着したプログラマブル表示器において、
上記凹部の下側縁部に上下方向の複数の切り欠き部を設けるとともに、該切り欠き部の間を山形状に形成し、上記シート体を伝わって落下する液体を上記凹部の下側縁部に溜まることなく下方に落下させる
ことを特徴とするプログラマブル表示器。
【請求項５】
タッチパネルを構成し表示画面を囲繞する外周ケース上に凹部を形成し、上記表示画面を覆うシート体を、上記凹部に接着部材を介して貼着したプログラマブル表示器において、
上記凹部の下側縁部を下側手前へ傾斜する面で形成し、上記シート体を伝わって落下する液体を上記凹部の下側縁部に溜まることなく下方に落下させる
ことを特徴とするプログラマブル表示器。
【請求項６】
タッチパネルを構成し表示画面を囲繞する外周ケース上に凹部を形成し、上記表示画面を覆うシート体を、上記凹部に接着部材を介して貼着したプログラマブル表示器において、
上記凹部の下側縁部に、上記シート体を伝わって流れ上記凹部の下側縁部に到達した液体を下方に誘導する液体誘導部を設け、上記シート体を伝わって落下する液体を上記凹部の下側縁部に溜まることなく下方に落下させる
ことを特徴とするプログラマブル表示器。
【発明の詳細な説明】
【０００１】
【発明の属する技術分野】
この発明は、タッチパネルを構成し表示画面を囲繞する外周ケース上に凹部を形成し、上記表示画面を覆うシート体を、上記凹部に接着部材を介して貼着したプログラマブル表示器に関し、詳しくは、上記シート体を伝わって落下する油、薬液等の液体により接着部材の接着力が弱化して当該シート体が剥がれてしまうことを防止したプログラマブル表示器に関する。
【０００２】
【従来の技術】
一般に、この種プログラマブル表示器には、タッチスイッチと液晶表示部を具備してなるタッチパネル（以下「タッチパネル」という）が用いられており、このタッチパネルは、ＰＬＣ（プログラマブルロジックコントローラ）に接続されて、ＰＬＣの各種情報を上記タッチパネルの液晶表示部、すなわち表示画面に表示することで作業者に各種情報を提示するとともに、作業者が上記タッチパネルを用いてＰＬＣに対して各種情報を入力できるように構成されている。
【０００３】
そして、この種プログラマブル表示器は、従来、図１０に示すように、タッチパネルを構成し表示画面１０を囲繞する外周ケース１１上に凹部１２を形成し、上記表示画面１０を覆う表面保護シート等のシート体２０を、上記凹部１２上に接着部材を介して貼着するように構成されている。
【０００４】
すなわち、このプログラマブル表示器は、図１１および図１２に示すように、外周ケース１１に形成された凹部１２上に両面テープ等の接着部材３０でシート体２０を貼着するように構成されており、その凹部１２の形状は平坦で、その縁部は直線状に形成されている。
【０００５】
ところで、このプログラマブル表示器においては、その製造上、外周ケース１１の凹部１２の下側縁部１２ａとシート体２０の下端との間に隙間が発生することは避けられない。
【０００６】
また、このプログラマブル表示器は、作業者が油、薬品等を扱うことがある工場現場に配置されているので、作業者が油、薬品の付着した手で、このプログラマブル表示器のシート体２０を介してこのプログラマブル表示器を操作する場合もあり、このときに図１３に示すように、シート体２０に油、薬品等の液体４０が付着する。また、シート体２０への液体４０の付着は、空気中に霧状となって漂っている液体４０の微粒子が結露することや、液体４０の気化したものが結露すること等によっても生じ得る。
【０００７】
しかして、従来のプログラマブル表示器にあっては、上記の如くシート体２０に付着した油、薬品等の液体４０がシート体２０を伝わって下方に流れると、この流れてきた液体が図１３および図１４に示すように、外周ケース１１上に形成された凹部１２の下側縁部１２ａとシート体２０の下端との間、すなわち前述の製造上の隙間に液体４０ａとして溜まるだけでなく、このように溜まった液体４０ａの影響で接着部材（接着部材として両面テープを用いた場合は両面テープの接着剤）が変質し、この変質部分からシート体２０が剥がれ始め、その剥がれによる隙間を毛細管現象で液体４０ａが上がって行き、次々と接着部材が変質することから、シート体２０の剥がれがさらに進行し、シート体２０の下側の一部が剥がれて浮くような状態になってしまうという問題があった。
【０００８】
【発明が解決しようとする課題】
この発明は上記問題点に鑑みてなされたもので、その目的とするところは、シート体を伝わって落下する油、薬品等の液体により接着部材が変質してシート体が剥がれてしまうことを防止したプログラマブル表示器を提供することにある。
【０００９】
【課題を解決するための手段】
上記目的を達成するために、この発明のプログラマブル表示器は、タッチパネルを構成し表示画面を囲繞する外周ケース上に凹部を形成し、上記表示画面を覆うシート体を、上記凹部に接着部材を介して貼着したプログラマブル表示器において、上記凹部の下側縁部に上下方向の１又は複数の切り欠き部を設け、上記シート体を伝わって落下する液体を上記凹部の下側縁部に溜まることなく下方に落下させることを特徴とするものである。
【００１０】
ここで、上記切り欠き部とは、上記シート体を伝わって落下する液体を下方に落下させるためのもので、上下方向に形成されていればその形状は問わない。
【００１１】
上記シート体を伝わって落下する液体とは、作業者がその液体の付いた指で上記シート体を触ったり、空気中に霧状となって漂っている当該液体の微粒子が結露すること等により、シート体に付着する油、薬品等の液体を示し、この液体は、上記接着部材に触れることにより接着部材を変質させ、その接着部材の接着力を弱化させるものである。
【００１２】
上記シート体には、上記表示画面を覆うすべてのシート体が含まれる。この種表示画面を覆うシート体としては、たとえば、▲１▼タッチパネル部分の保護やタッチパネル部分と外周ケースとの隙間を防水する目的の表面保護シートや、▲２▼表面保護シート上に貼付けて使用される当該タッチパネルにおけるタッチ部分の表面の汚れを防止する目的の汚れ防止シート等がある。
【００１３】
上記のような構成によると、上記シート体を伝わって落下する液体は、上記切り欠き部を通って下方に落下するので、上記凹部の下側縁部に溜まることはなく、これにより、上記シート体を伝わって落下する液体が長時間接着部材に触れることはないので、上記接着部材の変質による接着力の弱化は生ぜず、上記シート体が上記凹部から剥がれるという事態も生じない。
【００１４】
また、この発明のプログラマブル表示器は、タッチパネルを構成し表示画面を囲繞する外周ケース上に凹部を形成し、上記表示画面を覆うシート体を、上記凹部に接着部材を介して貼着したプログラマブル表示器において、上記凹部の下側縁部の内周線を山形状に形成するとともに、その両端部に窪み部を形成し、上記シート体を伝わって落下する液体を上記凹部の下側縁部に溜まることなく下方に落下させることを特徴とするものである。
【００１５】
ここで、上記凹部の下側縁部の内周線を山形状に形成する構造は、上記山形状の内周線形状により上記シート体を伝わって落下する液体を特定個所、すなわち山形状の両端部の窪み部に集めるガイドとして機能する。
【００１６】
このような構成によると、上記シート体を伝わって落下する液体は、上記山形状の内周線形状により上記窪み部に集められ、その一部はこの窪み部で溢れて下方に落下し、上記接着部材には触れないので、上記シート体が上記凹部から剥がれるという事態は生じない。
【００１７】
また、この発明のプログラマブル表示器は、タッチパネルを構成し表示画面を囲繞する外周ケース上に凹部を形成し、上記表示画面を覆うシート体を、上記凹部に接着部材を介して貼着したプログラマブル表示器において、上記凹部の下側縁部の内周線を谷形状に形成し、上記シート体を伝わって落下する液体を上記凹部の下側縁部に溜まることなく下方に落下させることを特徴とするものである。
【００１８】
さらに、この発明のプログラマブル表示器は、タッチパネルを構成し表示画面を囲繞する外周ケース上に凹部を形成し、上記表示画面を覆うシート体を、上記凹部に接着部材を介して貼着したプログラマブル表示器において、上記凹部の下側縁部に上下方向の複数の切り欠き部を設けるとともに、該切り欠き部の間を山形状に形成し、上記シート体を伝わって落下する液体を上記凹部の下側縁部に溜まることなく下方に落下させることを特徴とするものである。
【００１９】
このような構成によると、上記シート体を伝わって落下する液体は、上記山形状の内周線形状により上記切り欠き部の形成個所に集められ、上記切り欠き部を通って下方に落下する。
【００２０】
これにより、上記シート体を伝わって落下する液体が接着部材に触れることはないので、上記接着部材の変質による接着力の弱化は生ぜず、上記シート体が上記凹部から剥がれるという事態は生じない。
【００２１】
また、この発明のプログラマブル表示器は、タッチパネルを構成し表示画面を囲繞する外周ケース上に凹部を形成し、上記表示画面を覆うシート体を、上記凹部に接着部材を介して貼着したプログラマブル表示器において、上記凹部の下側縁部を下側手前へ傾斜する面で形成し、上記シート体を伝わって落下する液体を上記凹部の下側縁部に溜まることなく下方に落下させることを特徴とするものである。
【００２２】
ここで、上記下側手前へ傾斜する面は、上記シート体を伝わって落下する液体が、上記下側手前へ傾斜する面上を通って下方に落下するのに十分な角度で形成される。
【００２３】
このような構成によると、上記シート体を伝わって落下する液体は、上記下側手前へ傾斜する面上を通って下方に落下するので、上記シート体を伝わって落下する液体が接着部材に触れることはないので、上記接着部材の変質による接着力の弱化は生ぜず、上記シート体が上記凹部から剥がれるという事態は生じない。
【００２５】
ここで、上記接着部材の接着糊面は、上記シート体の下端から上記凹部の下側縁部に溜まった液体が毛細管現象で上昇する高さよりも高い位置になるように設定される。
【００２６】
このような構成によっても、上記シート体を伝わって落下する液体が上記接着部材に触れることはないので、上記接着部材の変質による接着力の弱化は生ぜず、上記シート体が上記凹部から剥がれるという事態は生じない。
【００２７】
また、この発明のプログラマブル表示器は、タッチパネルを構成し表示画面を囲繞する外周ケース上に凹部を形成し、上記表示画面を覆うシート体を、上記凹部に接着部材を介して貼着したプログラマブル表示器において、上記凹部の下側縁部に、上記シート体を伝わって流れ上記凹部の下側縁部に到達した液体を下方に誘導する液体誘導部を設け、上記シート体を伝わって落下する液体を上記凹部の下側縁部に溜まることなく下方に落下させることを特徴とするものであり、このような構成によっても上記と同様な作用効果を得られる。
【００２８】
【発明の実施の形態】
以下、この発明に係わるプログラマブル表示器の実施形態について添付図面を参照して詳細に説明する。
【００２９】
図１は、この発明に係わるプログラマブル表示器の第１の実施形態を示す正面図であり、図２は、図１のＣ−Ｃ断面拡大図である。なお、以下の説明においては、説明の便宜上図１０乃至図１４に示した従来例と同一の機能を果たす部分には図１０乃至図１４で用いた符号と同一の符号を付して説明する。
【００３０】
図１および図２において、この第１の実施形態のプログラマブル表示器では、タッチパネルを構成し表示画面を囲繞する外周ケース１１の凹部１２の下側縁部１２ａに、表面保護シート等のシート体２０を伝わって落下する油、薬品液体を下方に落下させる切り欠き部１２ｂを設けている。
【００３１】
このような構成によると、作業者が油、薬品等の液体が付着した手でシート体２０に触れ、この油、薬品等の液体がシート体２０に付着し、この付着した油、薬品等の液体がシート体２０を伝わって落下しても、この液体は、切り欠き部１２ｂを通って液体４０ｃとして下方に落下する。
【００３２】
これにより、シート体２０を伝わって落下する油、薬品等の液体が凹部１２の下側縁部１２ａに溜まることはなく、この油、薬品等の液体が両面テープ等からなる接着部材３０に触れることはない。
【００３３】
この結果、シート体２０を伝わって落下する油、薬品等の液体による接着部材３０の変質と、これによる接着部材３０の接着力の弱化は生ぜず、よって、シート体２０が上記凹部１２から剥がれるという事態も生じない。
【００３４】
図３は、この発明に係わるプログラマブル表示器の第２の実施形態を示す正面図である。
【００３５】
この第２の実施形態のプログラマブル表示器においては、図３に示すように、凹部１２の下側縁部１２ａの内周線を山形状に形成するとともに、その両端部に窪み部１３ａ、１３ｂを形成することで、シート体２０を伝わって落下する油、薬品等の液体を、凹部１２の下側縁部１２ａの窪み部１３ａ、１３ｂに収集するように構成される。
【００３６】
すなわち、この第２の実施形態のプログラマブル表示器においては、図３に示すように、凹部１２の下側縁部１２ａの内周線が山形状に形成されるとともに、その両端部には窪み部１３ａ、１３ｂが形成されている。そのため、シート体２０を伝わって落下する油、薬品等の液体は、この内周線が山形状の傾斜面の下側縁部１２ａによりガイドされて、凹部１２の下側縁部１２ａの窪み部１３ａ、１３ｂに集められ、その一部は窪み部１３ａ、１３ｂで溢れて下方に落下する。
【００３７】
これにより、シート体２０を伝わって落下する油、薬品等の液体は、上記凹部１２の下側縁部１２ａの窪み部１３ａ、１３ｂに集められるので、接着部材３０に触れることはなく、シート体２０が凹部１２から剥がれるという事態は防止される。
【００３８】
図４は、この発明に係わるプログラマブル表示器の第３の実施形態を示す正面図である。
【００３９】
この第３の実施形態のプログラマブル表示器においては、図４に示すように、凹部１２の下側縁部１２ａの内周線を谷形状に形成し、シート体２０を伝わって落下する油、薬品等の液体を当該凹部１２の下側縁部１２ａの中央位置１３ｃに収集するように構成される。
【００４０】
すなわち、この第３の実施形態のプログラマブル表示器においては、凹部１２の下側縁部１２ａの内周線を図４に示すように谷形状に形成することにより、シート体２０を伝わって落下する油、薬品等の液体は、この内周線が谷形状の下側縁部１２ａによりガイドされて、凹部１２の下側縁部１２ａの中央位置１３ｃに集められ、その一部はその中央位置１３ｃで溢れて下方に落下し、これにより、シート体２０が凹部１２から剥がれるという事態は防止される。
【００４１】
図５は、この発明に係わるプログラマブル表示器の第４の実施形態を示す正面図であり、図６は、その要部拡大図である。
【００４２】
この第４の実施形態のプログラマブル表示器は、図１に示した第１の実施形態のプログラマブル表示器で採用された切り欠き部１２ｂを設ける構成と、図３および図４に示した第２および第３の実施形態のプログラマブル表示器で採用された凹部１２の下側縁部１２ａの内周線を山形状としたり谷形状とした構成とを組み合せたものである。
【００４３】
すなわち、図５および図６に示すように、この第２の実施形態のプログラマブル表示器においては、凹部１２の下側縁部１２ａに複数の切り欠き部１２ｃを設けるとともに、この複数の切り欠き部１２ｃの間の凹部１２の下側縁部１２ａの内周線を山形状に形成して構成される。
【００４４】
このような構成によると、シート体２０を伝わって落下する油、薬品等の液体は、上記内周線が山形状に形成された凹部１２の下側縁部１２ａにより切り欠き部１２ｃの形成個所に集められ、この切り欠き部１２ｃを通って下方に落下する。
【００４５】
これにより、シート体２０を伝わって落下する油、薬品等の液体が接着部材３０に触れることはないので、接着部材３０の変質による接着力の弱化は生ぜず、シート体２０が凹部１２から剥がれるという事態は生じない。
【００４６】
図７は、この発明に係わるプログラマブル表示器の第５の実施形態を示す断面拡大図である。
【００４７】
図７において、この第５の実施形態のプログラマブル表示器では、凹部１２の下側縁部１２ａが下側手前へ傾斜する面で形成される。
【００４８】
このような構成によると、シート体２０を伝わって落下する油、薬品等の液体は、上記下側手前へ傾斜する面、すなわち、凹部１２の下側縁部１２ａの上面を通って下方に落下する。
【００４９】
その結果、シート体２０を伝わって落下する油、薬品等の液体は、接着部材３０に触れることはないので、接着部材３０の変質による接着力の弱化は生ぜず、シート体２０が凹部１２から剥がれるという事態は生じない。
【００５０】
図８は、この発明に係わるプログラマブル表示器の第６の実施形態を示す断面拡大図である。
【００５１】
図８において、この第６の実施形態のプログラマブル表示器では、凹部１２の下側に貼着される接着部材３０の接着糊面の下端３０ａをシート体２０の下端２０ａより上方に形成する。
【００５２】
ここで、接着部材３０の接着糊面の下端３０ａは、シート体２０の下端２０ａから凹部１２の下側縁部１２ａに溜まった油、薬品等の液体が毛細管現象で上昇する高さよりも高い位置になるように設定されているため、毛細管現象の影響は受けない。
【００５３】
このような構成によっても、シート体２０を伝わって落下する油、薬品等の液体が接着部材３０に触れることはないので、接着部材３０の変質による接着力の弱化は生ぜず、シート体２０が凹部１２から剥がれるという事態は生じない。
【００５４】
なお、この第６の実施形態のプログラマブル表示器で採用される接着部材３０の接着糊面の下端３０ａをシート体２０の下端２０ａより上方に形成するという構成は、上記第１乃至第５の実施形態のプログラマブル表示器に併用して採用することも可能である。
【００５５】
上記第１の実施形態のプログラマブル表示器においては、凹部１２の下側縁部１２ａに広幅の１個の切り欠き部１２ｂを設けて構成したが、この切り欠き部１２ｂの代わりに、図９に示したように狭幅の複数個の切り欠き部１２ｄを分散配置するように構成してもよい。なお、この図９の例では切り欠き部１２ｄの個数を３個としているが、その個数は必要に応じて適宜変更できる。
【００５６】
また、上記切り欠き部１２ｂは液体誘導部、すなわちシート体２０を伝わって流れ凹部１２の下側縁部１２ａに到達した液体を下方に誘導するという機能を実現する手段の一例であり、これと同等の機能を有するものであれば、その切り欠き部１２ｂに代えて適用することができ、かつ切り欠き部１２ｂと同様の効果を奏する。
【００５７】
【発明の効果】
以上説明したようにこの発明によれば、シート体を伝わって落下する油、薬品等の液体が、シート体を外周ケース上の凹部に貼着する接着部材に長時間接触しないように構成したので、シート体を伝わって落下する油、薬品等の液体により接着部材が変質してシート体が剥がれてしまうという事態を防止することができるという効果を奏する。
【図面の簡単な説明】
【図１】この発明に係わるプログラマブル表示器の第１の実施形態を示す正面図である。
【図２】（ａ）は図１に示したプログラマブル表示器のＣ−Ｃ断面拡大図、（ｂ）は同プログラマブル表示器のＤ−Ｄ断面拡大図である。
【図３】この発明に係わるプログラマブル表示器の第２の実施形態を示す正面図である。
【図４】この発明に係わるプログラマブル表示器の第３の実施形態を示す正面図である。
【図５】この発明に係わるプログラマブル表示器の第４の実施形態を示す正面図である。
【図６】図５に示したプログラマブル表示器の要部拡大図である。
【図７】この発明に係わるプログラマブル表示器の第５の実施形態を示す断面拡大図である。
【図８】この発明に係わるプログラマブル表示器の第６の実施形態を示す断面拡大図である。
【図９】（ａ）はこの発明に係わるプログラマブル表示器の第７の実施形態を示す正面図、（ｂ）は（ａ）の図中Ａ部の拡大図、（ｃ）は（ａ）の図中Ｄ−Ｄ線断面図である。
【図１０】従来のプログラマブル表示器の概要を示す組立て分解図である。
【図１１】図１０に示した従来のプログラマブル表示器の正面図である。
【図１２】図１１に示したプログラマブル表示器のＡ−Ａ断面拡大図である。
【図１３】従来のプログラマブル表示器の問題点を説明する図である。
【図１４】図１３に示したプログラマブル表示器のＢ−Ｂ断面拡大図である。
【符号の説明】
１０  タッチパネルを構成する表示画面
１１  外周ケース
１２  凹部
１２ａ  凹部の下側縁部
１２ｂ、１２ｃ、１２ｄ  切り欠き部
１３ａ、１３ｂ  窪み部
２０  シート体
３０  接着部材
４０  油、薬品等の液体
【図１】
0004019405.tif 000002
【図２】
0004019405.tif 000003
【図３】
0004019405.tif 000004
【図４】
0004019405.tif 000005
【図５】
0004019405.tif 000006
【図６】
0004019405.tif 000007
【図７】
0004019405.tif 000008
【図８】
0004019405.tif 000009
【図９】
0004019405.tif 000010
【図１０】
0004019405.tif 000011
【図１１】
0004019405.tif 000012
【図１２】
0004019405.tif 000013
【図１３】
0004019405.tif 000014
【図１４】
0004019405.tif 000015